(57)【特許請求の範囲】
【請求項１】
ハウジングの厚さ方向において互いに対向する第１の表面および第２の表面を有する前記ハウジングと、
前記ハウジングの前記第１の表面に形成されかつ相手側コネクタに形成された第１の間違い防止用取り付けスロットと嵌合するように適合された、第１の間違い防止用取り付けキーと、
前記ハウジングの前記第２の表面上に形成され、前記相手側コネクタ上に形成された停止部分と嵌合するように適合された、停止部分と、
を備えるコネクタであって、
前記第１の間違い防止用取り付けキー上にフックが形成され、前記フックと嵌合するように構成された凹部が前記コネクタの前記停止部分に形成され、
前記フックが前記凹部内に係合するように適合され、この結果、あるコネクタのフックを別のコネクタの凹部に係合することより、複数のコネクタが１つずつ連続して連結される、コネクタ。
【請求項２】
前記ハウジングが、その長さ方向において互いに対向する第１の端部および第２の端部を有し、前記ハウジングには前記長さ方向に延在する挿入スロットが形成され、
前記コネクタが、前記ハウジングの前記第１の端部に位置付けられかつ前記挿入スロット内に保持されるコンタクトを備え、
前記コンタクトと１つに圧着されるべきワイヤが、前記ハウジングの前記第２の端部から前記挿入スロット内に挿入される、
請求項１に記載のコネクタ。
【請求項３】
前記第１の間違い防止用取り付けキーが、前記ハウジングの前記第１の表面上であって、前記ハウジングの前記第１の端部に隣接する場所に形成され、
前記コネクタの前記停止部分が、前記ハウジングの前記第２の表面上であって、前記ハウジングの前記第２の端部に隣接する場所に形成される、
請求項２に記載のコネクタ。
【請求項４】
第２の間違い防止用取り付けキーが、前記ハウジングの前記第２の表面上に形成され、前記相手側コネクタの第２の間違い防止用取り付けスロットと嵌合するように適合される、
請求項３に記載のコネクタ。
【請求項５】
前記第２の間違い防止用取り付けキーが、前記ハウジングの前記第２の表面上であって、前記ハウジングの前記第１の端部に隣接する場所に形成される、
請求項４に記載のコネクタ。
【請求項６】
複数の第１の間違い防止用取り付けキーが、前記ハウジングの前記第１の表面上に形成され、
前記複数の第１の間違い防止用取り付けキーは、サイズおよび／または形状が互いに同じであるかまたは互いに異なる、
請求項５に記載のコネクタ。
【請求項７】
複数の第２の間違い防止用取り付けキーが、前記ハウジングの前記第２の表面上に形成され、
前記複数の第２の間違い防止用取り付けキーは、サイズおよび／または形状が互いに同じであるかまたは互いに異なる、
請求項６に記載のコネクタ。
【請求項８】
前記複数の第１の間違い防止用取り付けキーが、前記ハウジングの前記第１の表面上に、前記ハウジングの幅方向（Ｘ）において配置され、
前記複数の第２の間違い防止用取り付けキーが、前記ハウジングの前記第２の表面上に、前記ハウジングの前記幅方向において配置される、
請求項７に記載のコネクタ。
【請求項９】
前記コネクタの前記停止部分が停止面を備え、前記コネクタおよび前記相手側コネクタが１つに嵌合されるとき、前記コネクタの前記停止部分の前記停止面が、前記相手側コネクタの前記停止部分の停止面に対して当接して、このことにより、前記コネクタおよび前記相手側コネクタの一方が他方内に過度に挿入されることを防止する、
請求項８に記載のコネクタ。
【請求項１０】
前記コネクタの前記第１の間違い防止用取り付けキーおよび前記第２の間違い防止用取り付けキーが、前記相手側コネクタの前記第１の間違い防止用取り付けスロットおよび前記第２の間違い防止用取り付けスロットとそれぞれ位置合わせされていない場合、前記コネクタおよび前記相手側コネクタが１つに嵌合することができない、
請求項９に記載のコネクタ。
【請求項１１】
前記コネクタがＲＡＳＴコネクタである、請求項１に記載のコネクタ。
【発明の詳細な説明】
【技術分野】
【０００１】
関連出願の相互参照
本出願は、２０１５年６月３０日に中国国家知識産権局に出願された、中国特許出願第ＣＮ２０１５２０４７５９５８．６号の利益を主張し、その開示の全体を参照によって本明細書に組み込む、
【０００２】
本発明は、コネクタに関し、より具体的には、家電機器システム用のＲＡＳＴコネクタに関する。
【背景技術】
【０００３】
現在、規格化されモジュール化されたＲＡＳＴ（ＲＡＳＴは、「Ｒａｓｔｅｒ  Ａｎｓｃｈｌｕｓｓ  Ｓｔｅｃｋ  Ｔｅｃｈｎｉｋ」というドイツ語の句を短縮したものである）コネクタシステムが、家電機器において広く使用されている。ＲＡＳＴコネクタは、多くの技術的利点を有するだけでなく、高度にモジュール化されたシステムも実現する。家庭用電気機器の機能の増加に伴い、機能モジュールを主制御装置に接続するためのコネクタの個数は、これに応じて増加してきている。規格化されモジュール化されたＲＡＳＴコネクタシステムは、複数の単独のデバイスおよび複数のコネクタと統合することができ、取り付け時間を節減し、人的な取り付け誤り（human installation error）のリスクを低減する。同時に、取り付けられるべき構成要素の個数が少なくなるので、このＲＡＳＴコネクタシステムにより、ＰＣＢの占有空間および製造コストが低減される。
【０００４】
先行技術では、ＲＡＳＴコネクタの自動化製造を実現するために、コネクタのコンタクトおよびワイヤを圧着する前に、複数のコネクタを１つに連結する必要がある。これは、コンベヤベルトによって、コンタクトおよびワイヤが１つに圧着されることになるステーションへと、コネクタを連続的に移送できるようにするためである。
【０００５】
複数のＲＡＳＴコネクタを１つに連結するために、先行技術では、ＲＡＳＴコネクタのハウジング上に、追加の連鎖構造（chain structure）が形成される。この追加の連鎖構造は、複数のＲＡＳＴコネクタを１つに連結するためにのみ使用される。コンタクトおよびワイヤが１つに圧着された後で、これらの追加の連鎖構造を、コネクタのハウジングから切り離さなければならない。そうしなければ、この連鎖構造が、コネクタと相手側コネクタとの間の適合に問題を生じさせることになる。すなわち、追加の連鎖構造は、コネクタの最終製品に関して必要な特徴ではなく、一時的な特徴である。
【０００６】
先行技術では、ＲＡＳＴコネクタのハウジング上に追加の連鎖構造を追加する必要があり、この追加の連鎖構造は、最終的には除去される。したがってこの追加の連鎖構造は、コスト上昇および複雑な製造工程につながる。
【発明の概要】
【発明が解決しようとする課題】
【０００７】
本発明は、上述の欠点の少なくとも１つの側面を克服または緩和するためになされた。
【０００８】
複数のコネクタを連結するための連鎖構造として、コネクタ上に既に存在する、必要な間違い防止用取り付けキー(foolproof installation key)が使用されるコネクタを提供することが有利であろう。
【課題を解決するための手段】
【０００９】
本発明の態様によれば、ハウジングの厚さ方向において互いに対向する第１の表面および第２の表面を有するハウジングと、ハウジングの第１の表面上に形成されかつ相手側コネクタに形成された第１の間違い防止用取り付けスロットと嵌合するように適合された第１の間違い防止用取り付けキーと、ハウジングの第２の表面上に形成されかつ相手側コネクタ上に形成された停止部分と嵌合するように適合された停止部分と、を備えるコネクタが提供される。このコネクタにおいて、第１の間違い防止用取り付けキー上にフックが形成され、このフックと嵌合するように構成された凹部がコネクタの停止部分に形成される。フックはこの凹部内に係合するように適合され、この結果、あるコネクタのフックを別のコネクタの凹部に係合することより、複数のコネクタを１つずつ連続して連結することができる。
【００１０】
本発明の例示の実施形態によれば、ハウジングは、その長さ方向において互いに対向する第１の端部および第２の端部を有し、ハウジングには長さ方向に延在する挿入スロットが形成され、コネクタは、ハウジングの第１の端部に位置付けられかつ挿入スロット内に保持されるコンタクトを備え、コンタクトと１つに圧着されるべきワイヤは、ハウジングの第２の端部から挿入スロット内に挿入される。
【００１１】
本発明の別の例示の実施形態によれば、第１の間違い防止用取り付けキーは、ハウジングの第１の端部に隣接するハウジングの第１の表面上の場所に形成され、コネクタの停止部分は、ハウジングの第２の端部に隣接するハウジングの第２の表面上の場所に形成される。
【００１２】
本発明の別の例示の実施形態によれば、第２の間違い防止用取り付けキーが、ハウジングの第２の表面上に形成され、相手側コネクタの第２の間違い防止用取り付けスロットと嵌合するように適合される。
【００１３】
本発明の別の例示の実施形態によれば、第２の間違い防止用取り付けキーは、ハウジングの第１の端部に隣接する第２の表面上の場所に形成される。
【００１４】
本発明の別の例示の実施形態によれば、複数の第１の間違い防止用取り付けキーが、ハウジングの第１の端部上に形成され、これらの複数の第１の間違い防止用取り付けキーは、サイズおよび／または形状が互いに同じであるかまたは互いに異なる。
【００１５】
本発明の別の例示の実施形態によれば、複数の第２の間違い防止用取り付けキーが、ハウジングの第２の表面上に形成され、これらの複数の第２の間違い防止用取り付けキーは、サイズおよび／または形状が互いに同じであるかまたは互いに異なる。
【００１６】
本発明の別の例示の実施形態によれば、複数の第１の間違い防止用取り付けキーは、ハウジングの第１の表面上に、ハウジングの幅方向において配置され、複数の第２の間違い防止用取り付けキーは、ハウジングの第２の表面上に、ハウジングの幅方向において配置される。
【００１７】
本発明の別の例示の実施形態によれば、コネクタの停止部分は停止面を備え、コネクタおよび相手側コネクタが１つに嵌合されるとき、コネクタの停止部分の停止面が、相手側コネクタの停止部分の停止面に対して当接して、このことにより、コネクタおよび相手側コネクタの一方が他方内に過度に挿入されることを防止する。
【００１８】
本発明の別の例示の実施形態によれば、コネクタの第１の間違い防止用取り付けキーおよび第２の間違い防止用取り付けキーが、相手側コネクタの第１の間違い防止用取り付けスロットおよび第２の間違い防止用取り付けスロットとそれぞれ位置合わせされていない場合、コネクタおよび相手側コネクタは、１つに嵌合することができない。
【００１９】
本発明の別の例示の実施形態によれば、コネクタはＲＡＳＴコネクタである。
【００２０】
本発明の上記の様々な例示の実施形態では、複数のコネクタを連結するための連鎖構造として、追加の不要な連鎖構造を設ける代わりに、コネクタ上に既に存在する、必要な間違い防止用取り付けキーが使用される。したがって、このことにより、コストが節減される。さらに、間違い防止用取り付けキーは、最終製品の必要な特徴として使用される。すなわち、続く工程において既存かつ必要な間違い防止用取り付けキーを切り離す必要がなく、コネクタの製造工程を単純化する。
【００２１】
本発明の上記のおよび他の特徴は、その例示の実施形態について添付の図面を参照して詳細に記載することによって、より明らかになるであろう。
【図面の簡単な説明】
【００２２】
【図１】本発明の例示の実施形態による、第１の表面から見たコネクタの例示的な斜視図である。
【図２】本発明の例示の実施形態による、第２の表面から見たコネクタの例示的な斜視図である。
【図３】自体の表面に形成された連鎖構造により図１〜図２のコネクタを連結する、例示的な図である。
【図４】本発明の例示の実施形態による、図１〜図２のコネクタと嵌合するように適合された、相手側コネクタの例示的な斜視図である。
【発明を実施するための形態】
【００２３】
本開示の例示の実施形態について、以下で添付の図面を参照して詳細に記載する。これらの図面では、類似の参照符号は類似の要素を指す。ただし本開示は、多くの異なる形態で具現化することができ、本明細書に提示された実施形態に限定されるものと解釈されるべきではない。むしろ、これらの実施形態は、本開示が徹底的かつ完全なものとなるように、および当業者に本開示の概念を十分に伝えるように提供される。
【００２４】
以下の詳細な説明では、説明の目的で、多数の具体的な詳細が、開示される実施形態の徹底的な理解をもたらすために提示される。ただし、１つまたは複数の実施形態を、これらの具体的な詳細無しに実行できることが明らかであろう。他の場合には、よく知られている構造およびデバイスは、図面を単純化するために概略的に示される。
【００２５】
本発明の一般的概念によれば、ハウジングの厚さ方向において互いに対向する第１の表面および第２の表面を有するハウジングと、ハウジングの第１の表面上に形成されかつ相手側コネクタに形成された第１の間違い防止用取り付けスロットと嵌合するように適合された第１の間違い防止用取り付けキーと、ハウジングの第２の表面上に形成されかつ相手側コネクタ上に形成された停止部分と嵌合するように適合された停止部分と、を備えるコネクタが提供される。このコネクタにおいて、第１の間違い防止用取り付けキー上にフックが形成され、このフックと嵌合するように構成された凹部がコネクタの停止部分に形成され、フックはこの凹部内に係合するように適合される。この結果、あるコネクタのフックを別のコネクタの凹部に係合することより、複数のコネクタが１つずつ連続して連結される。
【００２６】
図１は、本発明の例示の実施形態による、第１の表面１００ａから見たコネクタの例示的な斜視図である。図２は、本発明の例示の実施形態による、第２の表面１００ｂから見たコネクタ１０の例示的な斜視図である。
【００２７】
図１〜図２に示すように、コネクタ１０は主として、ハウジング１００とコンタクト１０２とを備える。
【００２８】
図１〜図２に示すように、実施形態では、ハウジング１００は、ハウジング１００の長さ方向Ｙにおいて互いに対向する第１の端部および第２の端部を有する。長さ方向Ｙに延在する挿入スロット１０１が、ハウジング１００に形成される。コネクタ１０は、ハウジング１００の第１の端部（図１〜図２における下側端部）に位置付けられかつ挿入スロット１０１内に保持される、コンタクト１０２を備える。コンタクト１０２と１つに圧着されるべきワイヤ（図示せず）が、ハウジング１００の第２の端部（図１〜図２における上側端部）から、挿入スロット１０１内に挿入される。実施形態では、ワイヤおよびコンタクト１０２を１つに圧着するときに、コンタクト１０２は、ワイヤの絶縁層に穴を開け、ワイヤの導体コアに電気的に接触することができる。
【００２９】
図４は、本発明の例示の実施形態による、図１〜図２のコネクタ１０と嵌合するように適合された、相手側コネクタ１０’の例示的な斜視図である。
【００３０】
図１〜図２および図４に示すように、実施形態では、ハウジング１００は、ハウジング１００の厚さ方向Ｚにおいて互いに対向する第１の表面（たとえば、背面）１００ａ、および第２の表面（たとえば、前面）１００ｂを有する。１対の第１の間違い防止用取り付けキー１１０が、ハウジング１００の第１の表面１００ａ上に形成され、相手側コネクタ１０’に形成された１対の第１の間違い防止用取り付けスロット１１０’（図４を参照）と嵌合するように適合される。このようにして、コネクタ１０および相手側コネクタ１０’を１つに嵌合させる前に、コネクタ１０の第１の間違い防止用取り付けキー１１０を、相手側コネクタ１０’の第１の間違い防止用取り付けスロット１１０’と位置合わせさせなければならない。そうしないと、コネクタ１０および相手側コネクタ１０’を、１つに嵌合させることができない。したがって、第１の間違い防止用取り付けキー１１０は、コネクタ１０が不適正に接続されるのを、たとえば相手側コネクタ１０’に不適正な姿勢で接続されるかまたは適合しないコネクタに接続されるのを、防止することができる。
【００３１】
図１〜図２および図４を参照すると、実施形態では、１対の停止部分１３０が、ハウジング１００の第２の表面１００ｂ上に形成され、相手側コネクタ１０’上に形成された１対の停止部分１３０’（図４を参照）と対合するように適合される。このようにして、コネクタ１０および相手側コネクタ１０’が１つに嵌合されるとき、コネクタ１０の停止部分１３０が、相手側コネクタ１０’の停止部分１３０’に対して当接して、このことにより、コネクタ１０および相手側コネクタ１０’の一方が他方内に過度に挿入されることを防止する。
【００３２】
実施形態では、図１〜図２および図４に示すように、コネクタ１０の停止部分１３０は、停止面１３２を備える。コネクタ１０および相手側コネクタ１０’が１つに嵌合されるとき、コネクタ１０の停止部分１３０の停止面１３２が、相手側コネクタ１０’の停止部分１３０’の停止面１３２’に対して当接して、このことにより、コネクタ１０および相手側コネクタ１０’の一方が他方内に過度に挿入されることを防止する。
【００３３】
実施形態では、コネクタ１０および相手側コネクタ１０’の嵌合中、図１〜図２および図４に示されるように、コネクタ１０のハウジング１００の第１の端部は、相手側コネクタ１０’のハウジング１００’の挿入チャンバ内に挿入され、相手側コネクタ１０’のプラグ１０１’は、コネクタ１０の挿入スロット１０１内に挿入される。結果として、相手側コネクタ１０’のプラグ１０１’上のコンタクト１０２’は、コネクタ１０の挿入スロット１０１内で、コンタクト１０２に電気的に接触する。
【００３４】
上記の第１の間違い防止用取り付けキー１１０および停止部分１３０がいずれも、コネクタ１０の必要な構造特徴であることが留意される。このため、ワイヤおよびコンタクト１０２を１つに圧着した後で、これらの必要な構造特徴を切り離す必要がない。本発明の複数の実施形態によれば、これらの必要な構造特徴は、複数のコネクタ１０を連結するための連鎖構造として使用されるように構築される。以下では、このことについて図面を参照して詳細に記載する。
【００３５】
図１に示すように、実施形態では、第１の間違い防止用取り付けキー１１０上に、フック１１１が形成される。図２に示すように、コネクタ１０の停止部分１３０に、フック１１１と嵌合するように構成された、凹部１３１が形成される。フック１１１は、凹部１３１内へと係合するように適合される。このとき、あるコネクタ１０のフック１１１を別のコネクタ１０の凹部１３０に係合させることによって、複数のコネクタ１０、１０、１０（図３を参照）が、１つずつ連続して連結される。
【００３６】
図３は、自体の表面に形成された連鎖構造により図１〜図２のコネクタ１０を連結する、例示的な図である。
【００３７】
図１〜図３に示すように、複数のコネクタ１０、１０、１０は、あるコネクタ１０のフック１１１を別のコネクタ１０の凹部１３０に係合させることによって、１つずつ連続して、１つに連結される。このようにして、１つに連結された複数のコネクタ１０、１０、１０を、コンベヤベルトによってステーションまで連続的に移送することができる。このステーションにおいて、コンタクト１０２およびワイヤは、図３において矢印Ｓによって示される搬送方向に沿って、同時に圧着されることになる。
【００３８】
図１に示すように、第１の間違い防止用取り付けキー１１０は、ハウジング１００の第１の表面１００ａ上であって、ハウジング１００の第１の端部に隣接する場所に形成される。コネクタ１０の停止部分１３０は、ハウジング１００の第２の表面１００ｂ上であって、ハウジング１００の第２の端部に隣接する場所に形成される。
【００３９】
実施形態では、図２に示すように、第２の間違い防止用取り付けキー１２０が、ハウジング１００の第２の表面１００ｂ上に形成され、相手側コネクタ１０’の第２の間違い防止用取り付けスロット１２０’と嵌合するように適合される。この場合、コネクタ１０および相手側コネクタ１０’を１つに嵌合させる前に、コネクタ１０の第１の間違い防止用取り付けキー１１０および第２の間違い防止用取り付けキー１２０を、相手側コネクタ１０’の第１の間違い防止用取り付けスロット１１０’および第２の間違い防止用取り付けスロット１２０’とそれぞれ位置合わせさせなければならない。そうしないと、コネクタ１０および相手側コネクタ１０’を、１つに嵌合させることができない。すなわち、コネクタ１０の第１の間違い防止用取り付けキー１１０および第２の間違い防止用取り付けキー１２０が、相手側コネクタ１０’の第１の間違い防止用取り付けスロット１１０’および第２の間違い防止用取り付けスロット１２０’とそれぞれ位置合わせされていない場合、コネクタ１０および相手側コネクタ１０’は、１つに嵌合することができない。このようにして、コネクタ１０の間違い防止用の取り付けの効果がさらに保証される。
【００４０】
実施形態では、複数の第１の間違い防止用取り付けキー１１０を、ハウジング１００の第１の表面１００ａ上に形成することができる。たとえば、３つ以上の第１の間違い防止用取り付けキー１１０が、ハウジング１００の第１の表面１００ａ上に形成される。また、複数の第１の間違い防止用取り付けキー１１０は、サイズおよび／または形状を、互いに同じとするかまたは互いに異ならせることができる。複数の第１の間違い防止用取り付けキー１１０のサイズおよび／または形状が互いに異なる場合、コネクタ１０の間違い防止用の取り付けの効果がさらに保証され得る。
【００４１】
実施形態では、複数の第２の間違い防止用取り付けキー１２０を、ハウジング１００の第２の表面１００ｂ上に形成することができる。たとえば、２つ、３つ、またはそれ以上の第２の間違い防止用取り付けキー１２０が、ハウジング１００の第２の表面１００ｂ上に形成される。また、複数の第２の間違い防止用取り付けキー１２０は、サイズおよび／または形状を、互いに同じとするかまたは互いに異ならせることができる。複数の第２の間違い防止用取り付けキー１２０のサイズおよび／または形状が互いに異なる場合、コネクタ１０の間違い防止用の取り付けの効果がさらに保証され得る。
【００４２】
実施形態では、図２に示すように、４つの第２の間違い防止用取り付けキー１２０が、ハウジング１００の第２の表面１００ｂ上に形成される。第２の間違い防止用取り付けキー１２０のうちの３つは、サイズおよび／または形状が互いに同じであり、第２の間違い防止用取り付けキー１２０のうちの残りの１つは、サイズおよび／または形状が、これらの３つの第２の間違い防止用取り付けキー１２０と異なる。
【００４３】
図１〜図２に示すように、複数の第１の間違い防止用取り付けキー１１０は、ハウジング１００の第１の表面１００ａ上に、ハウジング１００の幅方向Ｘにおいて配置される。複数の第２の間違い防止用取り付けキー１２０は、ハウジング１００の第２の表面１００ｂ上に、ハウジング１００の幅方向Ｘにおいて配置される。
【００４４】
実施形態では、コネクタ１０をＲＡＳＴコネクタとすることができる。ただし、本発明は例示した実施形態に限定されず、コネクタ１０を、他の分野で使用される他の種類のコネクタとすることができる。
【００４５】
上記の実施形態は例示となることを意図しており、制限的であることを意図していないことが、当業者には理解されるであろう。たとえば、当業者は上記の実施形態に対して多くの修正を行うことができ、また、異なる実施形態において記載された様々な特徴を、構成または原理において矛盾することなく、互いに自由に組み合わせることができる。
【００４６】
いくつかの例示の実施形態を示しかつ記載してきたが、これらの実施形態において、本開示の原理および精神から逸脱することなく、様々な変更または修正を行うことのできることが、当業者には理解されるであろう。本開示の範囲は、特許請求の範囲およびそれらの均等物において規定される。
【００４７】
本明細書で使用される場合、単数形で記載され「ａ」または「ａｎ」の単語が前に付く要素は、前記の要素またはステップの複数形の除外について明示的に述べられていない限りは、これらを除外しないものとして理解されるべきである。さらに、本発明の「１つの実施形態」への参照は、記載された特徴を同じく組み込む追加の実施形態の存在を除外するものとして解釈されることを意図していない。さらに、そうではないと明示的に述べられていない限りは、特定の特性を有する１つの要素または複数の要素を「備える」または「有する」実施形態は、その特性を有さないような追加の要素を含んでよい。
【図１】
0006695220.tif 000002
【図２】
0006695220.tif 000003
【図３】
0006695220.tif 000004
【図４】
0006695220.tif 000005